(57)【要約】【課題】本発明は、媒体の通過により回動レバーが回動したとしても、その回動を規制する規制部との間に生じる接触音を低減化する。【解決手段】本発明の画像形成装置１は、回動自在に軸支され、通過する媒体Ｔに押圧されて回動する回動レバー４２と、回動レバー４２の回動を検出するセンサ部４３と、回動レバー４２の回動範囲を規制する規制部４８と、を備え、規制部４８は、規制部の一部が当接する回動レバー４２に向かって突起してなる突起部を有する媒体通過検出装置４０を備えたことを特徴とする。【選択図】図２
2011093655.tif 000002
【特許請求の範囲】
【請求項１】
回動自在に軸支され、通過する媒体に押圧されて回動する回動レバーと、
前記回動レバーに当接して、前記回動レバーの回動範囲を規制する規制部と、を備え、
前記規制部は、当接する前記回動レバーに向かって前記規制部の一部が突起してなる突起部を有することを特徴とする媒体通過検出装置。
【請求項２】
前記突起部は、回動する前記回動レバーに対して点接触又は線接触することを特徴とする請求項１に記載の媒体通過検出装置。
【請求項３】
前記突起部は、前記回動レバーに対して線状に当接可能な弧状又は角状に形成されてなることを特徴とする請求項１又は請求項２に記載の媒体通過検出装置。
【請求項４】
前記突起部は、前記回動レバーに対して点状に当接可能な球面状に形成されてなることを特徴とする請求項１又は請求項２に記載の媒体通過検出装置。
【請求項５】
前記突起部は、回動する前記回動レバーに対して接触することにより弾性変形可能な形状に形成されてなることを特徴とする請求項１乃至請求項４のいずれか１項に記載の媒体通過検出装置。
【請求項６】
前記規制部は、前記突起部を支持する支持部を有するとともに、前記突起部と前記支持部が一体的に形成されており、
前記支持部の基端側から前記突起部の先端側に向かって肉薄に形成されてなることを特徴とする請求項１乃至請求項５のいずれか１項に記載の媒体通過検出装置。
【請求項７】
前記規制部は、前記突起部を支持するとともに、前記突起部が回動する前記回動レバーが接触することにより弾性変形可能な支持部を有することを特徴とする請求項１乃至請求項５のいずれか１項に記載の媒体通過検出装置。
【請求項８】
前記支持部は、前記突起部を支持する側の形状が、前記突起部が回動する前記回動レバーが接触することにより弾性変形可能なように湾曲していることを特徴とする請求項７に記載の媒体通過検出装置。
【請求項９】
前記突起部と前記支持部は、一体的に形成されたことを特徴とする請求項７又は請求項８に記載の媒体通過検出装置。
【請求項１０】
前記請求項１乃至請求項９のいずれか１項に記載の媒体通過検出装置を備えることを特徴とする媒体搬送装置。
【請求項１１】
前記請求項１乃至請求項９のいずれか１項に記載の媒体通過検出装置を備えることを特徴とする画像形成装置。
【発明の詳細な説明】
【技術分野】
【０００１】
本発明は、媒体通過検出装置、並びに、媒体搬送装置、及び、画像形成装置に関し、特に、搬送路上を通過する媒体が当接して回動する回動レバーの回動範囲を規制する構造に関する。
【背景技術】
【０００２】
従来の媒体搬送装置は、搬送路内を記録用紙等の媒体が通過したか否かを検出する媒体通過検出装置を備えており、この媒体通過検出装置が、記録用紙が通過したことを検出した検出信号を媒体搬送装置の制御部に送信することによって、媒体搬送装置の制御部は、次の記録用紙の搬送等の制御を行っている。
ここで、一般に媒体通過検出装置は、下記特許文献に記載されるように、搬送路内を通過する記録用紙に対して一端側が当接して回動する回動レバーと、その回動レバーの他端側によって遮光されるとともに、回動レバーが回動して透過する光を受光するセンサ部と、回動レバーの回動範囲を規制する規制部とを少なくとも備えている。
【先行技術文献】
【特許文献】
【０００３】
【特許文献１】特開平９−３０１５７０号公報（図１の「ブロック４ｂ」と「センサレバー１０」参照）
【発明の概要】
【発明が解決しようとする課題】
【０００４】
しかしながら、前記特許文献１に開示される媒体通過検出装置によれば、回動レバーの他端側と規制部の上部側とが面状に接触し当接することによって、回動レバーの回動範囲を規制していた。よって、前記特許文献に開示される媒体通過検出装置は、回動レバーと規制部との接触する際に、接触音が生じるという問題があった。
【０００５】
そこで、本発明は、前記問題に鑑みて創案された発明であって、媒体の通過により回動レバーが回動したとしても、その回動を規制する規制部との間に生じる接触音を低減化することができる媒体通過検出装置、並びに、媒体搬送装置、及び画像形成装置を提供することを課題とする。
【課題を解決するための手段】
【０００６】
前記課題を解決するために、本発明に係る媒体通過検出装置は、回動自在に軸支され、通過する媒体に押圧されて回動する回動レバーと、前記回動レバーの回動を検出するセンサと、前記回動レバーの回動範囲を規制する規制部と、を備え、前記規制部の一部が当接する回動レバーに向かって突起してなる突起部を有することを特徴とする。
【０００７】
この媒体通過検出装置によれば、規制部が当接する回動レバーに向かって突起してなる突起部を有するため、回動する回動レバーは、その突起部に当接することにより回動が停止し、回動範囲が規制されることとなる。
ここで、回動レバーが当接する突起部は、規制部の一部が突起してなるため、回動レバーとの接触面積が小さくなり、接触音を低減化することができる。
【発明の効果】
【０００８】
以上、本発明の媒体通過検出装置によれば、媒体の通過により回動する回動レバーと、その回動を規制する規制部とが接触することにより生じる接触音を低減化することができる。
【図面の簡単な説明】
【０００９】
【図１】第１実施形態の原稿読取装置を側面側から断面視した側面断面図である。
【図２】第１実施形態における搬送ガイド上に設けられた媒体通過検出装置を斜視した斜視図である。
【図３】図２における媒体通過検出装置を側面側から見た側面図である。
【図４】第１実施形態の媒体通過検出装置の動作を示す図である。
【図５】第２実施形態の原稿読取装置を側面側から断面視した側面断面図である。
【図６】第２実施形態の媒体通過検出装置を側面側から見た側面図である。
【図７】（ａ）は、第２実施形態の媒体通過検出装置を平面視した平面図であって、（ｂ）は、第２実施形態の媒体通過検出装置を記録媒体が搬送される側から視た側面図である。
【図８】第２実施形態の媒体通過検出装置の動作を示す図である。
【発明を実施するための形態】
【００１０】
（第１実施形態）
本発明の第１実施形態における画像形成装置１Ａについて、図１〜図３を参照して説明する。なお、図２は、図１に示す破線で示した枠Ａを一部拡大した図面である。
画像形成装置１Ａは、利用者の指示を受けて、記録用紙Ｔに所望の画像を印字するための装置であって、図１に示すように、記録用紙Ｔに定着させるためのトナー像を形成する画像形成部１０と、トナー像を記録用紙Ｔに定着させるための定着部２０と、記録用紙Ｔを搬送するための媒体搬送部３０と、図示しない制御部とからなる。
【００１１】
画像形成部１０は、図１に示すように、ブラック（Ｂ）、イエロー（Ｙ）、マゼンタ（Ｍ）、シアン（Ｃ）のそれぞれ各色のトナー像を形成する画像形成ユニット１１Ｂ、１１Ｙ、１１Ｍ、１１Ｃと、４つの転写ローラ１２とからなる。
【００１２】
画像形成ユニット１１Ｂは、黒色のトナー像を形成するためのものであり、トナー像の担持体である感光体ドラム１３Ｂと、感光体ドラム１３Ｂの表面を帯電させる帯電ローラ１４Ｂと、制御部からの情報に基づいてＬＥＤ光を照射し感光体ドラム１３Ｂ上に静電潜像を形成する露光手段１５Ｂと、静電潜像にトナーを付着させてトナー像として顕像化する現像ローラ１６Ｂと、その現像ローラ１６Ｂにトナーを供給する供給ローラ１７Ｂと、黒色に着色された非磁性トナーを収納するトナーカートリッジ１８Ｂとを備える。
そして、トナー像を形成する工程は、まず、露光手段１５Ｂが図示しない制御部から信号を受けて感光体ドラム１３Ｂの表面を露光し、その感光体ドラム１３Ｂ上に静電潜像が形成される。また、その感光体ドラム１３Ｂ上の静電潜像に現像ローラ１６Ｂが黒色トナーを供給することにより、感光体ドラム１３Ｂ上に黒色のトナー像が形成される。
なお、その他の画像形成ユニット１１Ｙ、１１Ｍ、１１Ｃのそれぞれは、前記説明した画像形成ユニット１１Ｂと同じ構成を有するため、説明は省略する。
【００１３】
転写ローラ１２は、図１に示すように、画像形成ユニット１１Ｂ、１１Ｙ、１１Ｍ、１１Ｃの感光体ドラム１３Ｂ等に対向して配置するように４つ設けられており、後記する転写ベルト３７とその転写ベルト３７上に載置された記録用紙Ｔとを感光体ドラム１３Ｂ等で挟持して、感光体ドラム１３Ｂが担持するトナー像を転写させる。また、転写ローラ１２は、感光体ドラム１３Ｂ等が担持するトナー像が転写ローラ１２側に移動して記録用紙Ｔに転写しやすくするために、図示しない電圧印加部が接続され、バイアス電圧が印加される。
【００１４】
定着部２０は、図１に示すように、記録用紙Ｔ上に転写されたトナー像を定着させるために、記録用紙Ｔに所定の熱と圧力を加える部材であり、加熱ローラ２１と加圧ローラ２２とを備えてなる。
加熱ローラ２１は、その内部に図示しないヒータを有しており、図示しないヒータが発熱することによって、加熱ローラ２１は加熱されて、記録用紙Ｔ上のトナー像を融解させることが可能となる。また、加圧ローラ２２は、金属製の回転軸とその回転軸の外周面に形成されるゴム層とを備える。また、加圧ローラ２２は、加熱ローラ２１の回動に伴うように従動回動すると共に、搬送される記録用紙Ｔを加熱ローラ２１とで挟持可能なように、所定の圧力で加熱ローラ２１に押し付けるように設けられている。
【００１５】
媒体搬送部３０は、図１に示すように、給紙トレイ３１から取り出された記録用紙Ｔを、画像形成部１０と定着部２０を通過させて、トナー像が定着した記録用紙Ｔをスタック３２上へ搬送するものである。
そして、媒体搬送部３０は、搬送路を構成する搬送ガイド３３（図２参照）と、給紙トレイ３１から取り出して搬送ガイド３３に記録用紙Ｔを送り出すピックアップローラ３４と、搬送ガイド３３上にある記録用紙Ｔをスタックのほうへ送り出す第１駆動ローラ３５と、画像形成部１０内に記録用紙Ｔを通過させる二つの第２駆動ローラ３６と、その第２駆動ローラ３６に伸張懸架される転写ベルト３７と、搬送ガイド３３上を記録用紙Ｔが通過したか否かを検出する３つの媒体通過検出装置４０、５０、５１とを備えてなる。
搬送ガイド３３は、記録用紙Ｔをスタック３２まで搬送するため、記録用紙の誘導を行うガイド部材であって、図２に示すように、搬送方向を向いて立設する立板状の部材が、図１に示す破線に沿って配置されている。
また、ピックアップローラ３４と第１駆動ローラ３５と第２駆動ローラ３６は、図示しないモータの回転軸に軸支されており、制御部がその図示しないモータの回転駆動を制御することによって、記録用紙Ｔを搬送ガイド３３に沿って搬送させることができる。
【００１６】
また、媒体通過検出装置４０は、図２と図３に示すように、軸４１により回動自在に軸支される回動レバー４２と、その回動レバー４２が回動したか否かを光学的に検出するセンサ部４３と回動レバー４２を常時Ｃ方向（図３参照）に付勢するトーションスプリング４４と、回動レバー４２とセンサ部４３とトーションスプリング４４とを支持する本体部４５とを備えている。
また、本体部４５は、図３に示すように、搬送ガイド３３と、軸４１を支持するための軸支持部４６と、センサ支持部４７と、規制部４８とを備えている。
【００１７】
回動レバー４２は、図２と図３に示すように、２方向に延びる側面視で略Ｖ字状に形成された部材である。また、回動レバー４２は、図３に示すように、本体部４５の軸支持部４６に支持される軸４１に回動自在に支持されて、略Ｖ字状の一片４２ａが搬送ガイド３３よりも突出するとともに、他片４２ｂが、センサ部４３を構成する発光部４３ａと受光部（図示しない）との間に介在する程度に延出する大きさで形成されている。
また、トーションスプリング４４は、図３に示すように、軸４１に軸支されており、一端側が本体部４５に係止するとともに、他端側が回動レバー４２の側面に係止して、回動レバー４２を図３に示す常時Ｃ方向に回動するように付勢している。
【００１８】
センサ部４３は、発光部４３ａと受光部（図示しない）から構成されており、発光部４３ａが受光部に向かって発光可能なように、発光部４３ａと受光部とが対向して本体部４５のセンサ支持部４７に固定されている。
また、図３に示すように、回動レバー４２の一片４２ａが規制部４８に当接した場合に、対向して配置される発光部４３ａと受光部との間に、回動レバー４２の他片４２ｂが介在しており、受光部は発光部４３ａの光を受光できないようになっている。そして、回動レバー４２がＢ方向に回動した場合に、受光部は、発光部４３ａからの光を受光することができ、図示しない制御部に受光したことを示す信号を送る。
なお、画像形成装置１Ａは、図１に示すように、媒体通過検出装置４０のほかに、記録用紙Ｔの搬送路上に媒体通過検出装置５０、５１を備えているが、同等な構成を有するため説明を省略する。
【００１９】
本体部４５は、図２と図３に示すように、前記した回動レバー４２とセンサ部４３とを支持するための部材であって、合成樹脂を成形してなる。また、本体部４５は、図２に示すように、画像形成装置１Ａ内に形成された取付部２に取り付け可能なように形成されており、その取付部２に取り付けた場合に、図２と図３に示すように、支持する回動レバー４２の一片４２ａが搬送路上に突出可能なように、搬送路に隣接する位置に設けられており、また、搬送路側の面には、搬送ガイド３３が形成されている。また、本体部４５は、合成樹脂によって形成されている。よって、本体部４５に一体的に形成された搬送ガイド３３と軸支持部４６とセンサ支持部４７と規制部４８とにおいても、本体部４５と同様に合成樹脂により形成されている。
【００２０】
規制部４８は、回動する回動レバー４２が接触して当接することにより、回動レバー４２の回動範囲を規制するための部材であって、突起部４８ａと支持部４８ｂとを有しており、本体部４５から突出するように一体的に形成されている。また、規制部４８は、回動レバー４２が当接可能なように、回動レバー４２の回動上に位置するように形成されている。
そして、規制部４８である突起部４８ａと支持部４８ｂは、図２に示すように、本体部４５の幅方向において、同じ幅を有しているように形成されている。一方で、規制部４８は、回動レバー４２がトーションスプリング４４の付勢により接触した場合に、当接する先端側の突起部４８ａが弾性変形可能なように、本体部４５側である基端側から先端側にかけて搬送方向における厚みが次第に小さくなるよう肉薄に形成されている。
【００２１】
突起部４８ａは、回動レバー４２が当接する部分であって、基端側が支持部４８ｂに支持されて、回動レバー４２側に向かって突起している。また、突起部４８ａの先端側は、側面視で弧状となっている。なお、突起部４８ａの先端側が弧状であれば、半円や半楕円のどちらであってもよい。一方で、支持部４８ｂは、本体部４５から上部側に延出する部分である。
【００２２】
つぎに、画像形成装置１Ａにおける媒体通過検出装置４０の動作について、図３と図４とを参照して説明する。
媒体通過検出装置４０は、回動レバー４２がトーションスプリング４４によりＣ方向に付勢されている。よって、媒体通過検出装置４０は、記録用紙Ｔが通過する前である通常状態において、図３に示すように、回動レバー４２の一片４２ａが規制部４８の突起部４８ａに当接しており、回動レバー４２の他片４２ｂが、発光部４３ａと受光部（図示しない）との間に位置している。
【００２３】
そして、記録用紙Ｔが搬送ガイド３３上を通過する場合において、通過する記録用紙Ｔの先端側が、回動レバー４２の一片４２ａを搬送方向に押圧すると、回動レバー４２は、トーションスプリング４４の付勢力に逆らって、図４（ａ）に示すように、Ｂ方向に回動する。
そして、この回動レバー４２の回動に伴って、回動レバー４２の他片４２ｂは、発光部４３ａと受光部（図示しない）との間に介在しなくなり、受光部からの光を発光部４３ａが受光する。これによって、記録用紙Ｔが通過したことを検出することが可能となる。そして、受光部は、記録用紙Ｔが通過してことを示す信号を制御部に送信し、制御部は次の記録用紙Ｔの搬送等を行うこととなる。
【００２４】
そして、記録用紙Ｔの通過後、回動する回動レバー４２は、図４（ｂ）に示すように、トーションスプリング４４の付勢力によりＣ方向へ回動し、回動レバー４２の一片４２ａが規制部４８の突起部４８ａに当接して、回動レバー４２の回動が停止することになる。
また、回動レバー４２は、規制部４８に当接して回動が規制されるため、回動レバー４２の他片４２ｂは、発光部４３ａと受光部（図示しない）との間に位置することとなる。
【００２５】
以上、画像形成装置１Ａについて説明したが、前記する媒体通過検出装置４０によれば、規制部４８の突起部４８ａは側面視で弧状であるため、回動レバー４２は、規制部４８の突起部４８ａと側面視で線状に接触して当接することとなる。つまり、実施形態の媒体通過検出装置４０は、面状に接触して当接する従来の媒体通過検出装置に比べ、接触面積が減少するため、回動レバー４２が突起部４８ａに接触した際の接触音が低減させることができる。なお、接触面積が増加すると接触音が大きくなる理由は、接触面が大きいとその接触面上の各地点で発生する振動も多くなり、そして、その各地点で生じた振動が共振するためである。よって、接触面積を減少させれば、生じる振動も減り共振しにくくなり、接触音を低減することができる。
【００２６】
また、回動レバー４２が接触する突起部４８ａは、支持部４８ｂに比べ、搬送方向における厚みが小さくなるように形成されており、搬送方向における力を受けた場合、弾性変形可能なように形成されている。よって、突起部４８ａは、回動レバー４２から接触された場合に弾性変形するため、回動レバー４２による接触音を減少させることができる。
さらに、突起部４８ａが回動レバー４２から接触により受ける力は、突起部４８ａに連続する支持部４８ｂに伝達することとなるが、突起部４８ａにくらべて搬送方向における厚みが大きいため、その接触により受ける力を分散することができる。よって、画像形成装置１Ａ内において、回動レバー４２と突起部４８ａとの接触音の反響を小さくすることが可能となる。また、規制部４８を構成する突起部４８ａと支持部４８ｂとは、本体部４５と一体的に形成されているため、製造が容易である。
【００２７】
また、定着部２０の近傍に設けられる媒体通過検出装置４０においては、定着部２０の発せられる熱により、形状変形するおそれがある。しかしながら、実施形態の規制部４８の支持部４８ｂは、突起部４８ａに比べ、搬送方向における厚みが大きく形成されているため、高温による計時変化するおそれが少ない。
その他、本発明は、上記説明した実施形態の媒体通過検出装置４０に限るものでない。たとえば、突起部４８ａの形状は、側面視で弧状ではなく、角状であってもよい。当該形状の突起部であっても、回動レバー４２との当接は、線状であり接触する面積を減少させることができるからである。
【００２８】
（第２実施形態）
つぎに、本発明の第２実施形態の画像形成装置１Ｂについて、図５〜図７を参照して説明する。画像形成装置１Ｂの媒体通過検出装置４０Ｂは、規制部１４８を有しており、前記説明した規制部４８を備える画像形成装置１Ａと相違する。なお、画像形成装置１Ｂは、規制部１４８以外の構成においては、第１実施形態の画像形成装置１Ａが有する構成と略同等な構成を有している。
よって、以下、相違点である第２実施形態の媒体通過検出装置４０Ｂにおける規制部１４８についてのみ、図５〜図７を参照して説明する。なお、第２実施形態の画像形成装置１Ｂにおいて、第１実施形態の画像形成装置１Ａと同じ構成については、説明を省略するとともに、同じ符号を用いている。
【００２９】
媒体通過検出装置４０Ｂの規制部１４８は、図６に示すように、本体部４５の上部側に形成されており、本体部４５から突出するように一体的に形成されている突起部１４８ａと支持部１４８ｂとを有している。また、規制部１４８は、回動レバー４２が当接可能なように、回動レバー４２の回動上に位置するように形成されている。
【００３０】
突起部１４８ａは、図６に示すように、回動レバー４２が当接する部分であって、基端側が支持部１４８ｂに支持されて、先端側が回動レバー４２側に向かって突起している。
突起部１４８ａは、図５に示すように、先端側は球面状となっている。また、突起部１４８ａは、回動レバー４２がトーションスプリング４４の付勢により接触した場合に、弾性変形可能なように、先端側から基端（支持部１４８ｂ）側に向かって細く形成され、かつ、円筒状となっている。
【００３１】
一方で、支持部１４８ｂは、本体部４５から上部側に突出して、突起部１４８ａを支持する部であるが、弾性変形可能な形状になっている点において、第１実施形態の規制部４８と相違する。つまり、支持部１４８ｂが支持する突起部１４８ａに、トーションスプリング４４の付勢により回動レバー４２が接触した場合に、支持部１４８ｂは弾性変形する。具体的には、支持部１４８ｂは、先端（突起部１４８ａ）側は、円筒状であって、第１実施形態の支持部４８ｂに比べで細く形成され、弾性変形しやすいようになっている。また、その支持部１４８ｂの先端の円筒状の部分は湾曲してなり、回動レバー４２が接触した場合に、より弾性変形しやすい形状となっている。
また、支持部１４８ｂは、図７に示すように、支持部１４８ｂの基端（本体部４５）側と、本体部４５に一体的に形成されている搬送ガイド３３との間隔（図７に示すＬ２を指す）が長い方が望ましい。これによれば、回動レバー４２の接触により規制部１４８は振動するものの、搬送ガイド３３までの間隔を広くして空間を形成することにより、搬送ガイド３３には振動が伝達しにくくなり、接触音が反響しにくくなる。
【００３２】
つぎに、画像形成装置１Ｂにおける媒体通過検出装置４０Ｂの動作について、図６〜図８を参照して説明する。
媒体通過検出装置４０Ｂは、図６に示すように、回動レバー４２がトーションスプリング４４によりＣ方向に付勢されている。よって、媒体通過検出装置４０Ｂは、記録用紙Ｔが通過する前である通常状態において、図６に示すように、回動レバー４２の一片４２ａが規制部１４８の突起部１４８ａに当接している。また、回動レバー４２の他片４２ｂは、図６及び図７（ａ）に示すように、発光部４３ａと受光部４３ｂとの間に位置している。
【００３３】
そして、記録用紙Ｔが搬送ガイド３３上を通過する場合において、通過する記録用紙Ｔの先端側が、回動レバー４２の一片４２ａを搬送方向に押圧する。これにより、回動レバー４２は、トーションスプリング４４の付勢力に逆らって、図８（ａ）に示すように、Ｂ方向に回動する。
そして、この回動レバー４２の回動に伴って、回動レバー４２の他片４２ｂは、発光部４３ａと受光部４３ｂとの間に介在しなくなり、受光部４３ｂからの光を発光部４３ａが受光する。これによって、記録用紙Ｔが通過したことを検出することが可能となる。そして、受光部４３ｂは、記録用紙Ｔが通過してことを示す信号を図示しない制御部に送信し、図示しない制御部は、つぎの記録用紙Ｔの搬送等を行うこととなる。
【００３４】
そして、記録用紙Ｔの通過後、回動する回動レバー４２は、図８（ｂ）に示すように、トーションスプリング４４の付勢力によりＣ方向へ回動し、回動レバー４２の一片４２ａが規制部１４８の突起部１４８ａに当接して、回動レバー４２の回動が停止することになる。また、回動レバー４２は、規制部１４８に当接して回動が規制されるため、回動レバー４２の他片４２ｂは、発光部４３ａと受光部４３ｂとの間に位置することとなる。
【００３５】
以上、画像形成装置１Ｂについて説明したが、前記する媒体通過検出装置４０によれば、規制部１４８の突起部１４８ａは先端面が球状である。よって、回動レバー４２と規制部１４８の突起部１４８ａとは、接する箇所が点となる。つまり、第１実施形態の媒体通過検出装置４０にくらべ、接触面積の減少するため、回動レバー４２が突起部１４８ａに当接した際の接触音をさらに減少させることができる。
【００３６】
また、回動レバー４２が接触する突起部１４８ａのみならず、支持部１４８ｂも弾性変形可能に形成されている。つまり、回動レバー４２が突起部１４８ａに接触した場合に、突起部１４８ａと支持部４８ｂが弾性変形するため、回動レバー４２のみが弾性変形する第１実施形態の規制部４８に比べ、第２実施形態の規制部１４８の方が接触音を減少させることができる。
【００３７】
そのほか、実施形態で示した媒体通過検出装置４０、及び媒体通過検出装置４０Ｂは、トーションスプリング４４を備えており、そのトーションスプリング４４の付勢力により、回動レバー４２が回動する場合について説明したが、本発明はこれに限定されるものでなく、回動レバー４２の自重により回動する場合であってもよい。
【符号の説明】
【００３８】
１Ａ、１Ｂ  画像形成装置
２      取付部
１０    画像形成部
１１Ｂ、１１Ｙ、１１Ｍ、１１Ｃ  画像形成ユニット
１２    転写ローラ
１３Ｂ  感光体ドラム
１４Ｂ  帯電ローラ
１５Ｂ  露光手段
１６Ｂ  現像ローラ
１７Ｂ  供給ローラ
２０    定着部
２１    加熱ローラ
２２    加圧ローラ
３０    媒体搬送部
３１    給紙トレイ
３２    スタック
３３    搬送ガイド
３４    ピックアップローラ
３５    第１駆動ローラ
３６    第２駆動ローラ
３７    転写ベルト
４０、４０Ｂ、５０、５１  媒体通過検出装置
４１    軸
４２    回動レバー
４３    センサ部
４３ａ  発光部
４３ｂ  受光部
４４    トーションスプリング
４５    本体部
４６    軸支持部
４７    センサ支持部
４８、１４８  規制部
４８ａ、１４８ａ  突起部
４８ｂ、１４８ｂ  支持部
Ｔ      記録用紙
【図１】
2011093655.tif 000003
【図２】
2011093655.tif 000004
【図３】
2011093655.tif 000005
【図４】
2011093655.tif 000006
【図５】
2011093655.tif 000007
【図６】
2011093655.tif 000008
【図７】
2011093655.tif 000009
【図８】
2011093655.tif 000010